(57)【要約】  本開示は、ＨＡＲＱ−ＡＣＫコードブックの決定方法及び端末を提供する。該ＨＡＲＱ−ＡＣＫコードブックの決定方法は、ＨＡＲＱ−ＡＣＫコードブックに対応する少なくとも１つのＰＤＳＣＨが所在するＢＷＰのコードブロックグループの設定に基づいて、ＨＡＲＱ−ＡＣＫコードブックを決定すること、又は、ＨＡＲＱ−ＡＣＫコードブックに対応する少なくとも１つのＰＤＳＣＨをスケジューリングするＰＤＣＣＨが所在するＢＷＰのコードブロックグループの設定に基づいて、ＨＡＲＱ−ＡＣＫコードブックを決定することを含む。【選択図】図１
2021513821.tif 000002
【特許請求の範囲】
【請求項１】
端末に適用されるハイブリッド自動再送要求−確認ＨＡＲＱ−ＡＣＫコードブックの決定方法であって、
ＨＡＲＱ−ＡＣＫコードブックに対応する少なくとも１つの物理的ダウンリンク共有チャネルＰＤＳＣＨが所在する帯域幅部分ＢＷＰのコードブロックグループの設定に基づいて、前記ＨＡＲＱ−ＡＣＫコードブックを決定すること、又は、
前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定することを含む、ＨＡＲＱ−ＡＣＫコードブックの決定方法。
【請求項２】
前記ＨＡＲＱ−ＡＣＫコードブックに対応する少なくとも１つのＰＤＳＣＨが所在するＢＷＰのコードブロックグループの設定に基づいて、前記ＨＡＲＱ−ＡＣＫコードブックを決定することは、
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定すること、又は、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定すること、又は、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定することを含む、請求項１に記載のＨＡＲＱ−ＡＣＫコードブックの決定方法。
【請求項３】
前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定することは、
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定すること、又は、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定すること、又は、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定することを含む、請求項１に記載のＨＡＲＱ−ＡＣＫコードブックの決定方法。
【請求項４】
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰに基づいて、前記ＨＡＲＱ−ＡＣＫコードブックを決定することは、前記ＨＡＲＱ−ＡＣＫコードブックに対応する各ＰＤＳＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定することは、前記ＨＡＲＱ−ＡＣＫコードブックに対応する最後のＰＤＳＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含む、請求項２に記載のＨＡＲＱ−ＡＣＫコードブックの決定方法。
【請求項５】
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨをスケジューリングするＰＤＣＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定することは、前記ＨＡＲＱ−ＡＣＫコードブックに対応する最後のＰＤＳＣＨをスケジューリングするＰＤＣＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含む、請求項３に記載のＨＡＲＱ−ＡＣＫコードブックの決定方法。
【請求項６】
前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定することは、
前記端末が、コードブロックグループ伝送が設定されていない第１のＢＷＰにおいて、コードブロックグループ伝送が設定されている第２のＢＷＰに切り替えることを端末に指示するダウンリンク制御情報ＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であることを含む、請求項４に記載のＨＡＲＱ−ＡＣＫコードブックの決定方法。
【請求項７】
前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定することは、
前記端末が、コードブロックグループ伝送が設定されていない第１のＢＷＰにおいて、コードブロックグループ伝送が設定されている第２のＢＷＰに切り替えることを端末に指示するＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であることを含む、請求項５に記載のＨＡＲＱ−ＡＣＫコードブックの決定方法。
【請求項８】
決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる、請求項１に記載のＨＡＲＱ−ＡＣＫコードブックの決定方法。
【請求項９】
決定された前記ＨＡＲＱ−ＡＣＫコードブックには、同じＢＷＰで受信された少なくとも１つのＰＤＳＣＨのＨＡＲＱ−ＡＣＫビットのみが含まれ、前記ＨＡＲＱ−ＡＣＫコードブックを決定することは、
前記端末が活性化ＢＷＰが切り替えた場合、決定された前記ＨＡＲＱ−ＡＣＫコードブックには現在の活性化ＢＷＰで受信された少なくとも１つのＰＤＳＣＨに対応するＨＡＲＱ−ＡＣＫのみが含まれることを含む、請求項８に記載のＨＡＲＱ−ＡＣＫコードブックの決定方法。
【請求項１０】
前記端末が活性化ＢＷＰに切り替えた場合、決定された前記ＨＡＲＱ−ＡＣＫコードブックには現在の活性化ＢＷＰで受信された少なくとも１つのＰＤＳＣＨに対応するＨＡＲＱ−ＡＣＫのみが含まれることは、
前記端末が活性化ＢＷＰに切り替え、切り替え前後のＢＷＰのコードブックグループの設定が異なる場合、決定された前記ＨＡＲＱ−ＡＣＫコードブックには現在の活性化ＢＷＰで受信されたＰＤＳＣＨに対応するＨＡＲＱ−ＡＣＫビットのみが含まれることを含む、請求項９に記載のＨＡＲＱ−ＡＣＫコードブックの決定方法。
【請求項１１】
決定された前記ＨＡＲＱ−ＡＣＫコードブックには、同じＢＷＰで受信された少なくとも１つのＰＤＳＣＨのＨＡＲＱ−ＡＣＫビットのみが含まれ、前記ＨＡＲＱ−ＡＣＫコードブックを決定することは、
前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることを含む、請求項８に記載のＨＡＲＱ−ＡＣＫコードブックの決定方法。
【請求項１２】
前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることは、
前記端末が活性化ＢＷＰに切り替え、切り替え前後のＢＷＰのコードブックグループの設定が異なる場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることを含む、請求項１１に記載のＨＡＲＱ−ＡＣＫコードブックの決定方法。
【請求項１３】
前記ＨＡＲＱ−ＡＣＫコードブックを決定した後、前記方法は、
前記ＨＡＲＱ−ＡＣＫコードブックをフィードバックすることをさらに含み、
前記端末が活性化ＢＷＰに切り替えることを指示するコマンドを受信した場合、前記ＨＡＲＱ−ＡＣＫコードブックをフィードバックする前に、前記コマンドを無視することをさらに含む、請求項１に記載のＨＡＲＱ−ＡＣＫコードブックの決定方法。
【請求項１４】
前記端末が活性化ＢＷＰに切り替えることを指示するコマンドを受信した場合、前記ＨＡＲＱ−ＡＣＫコードブックをフィードバックする前に、前記コマンドを無視することは、
前記端末が活性化ＢＷＰに切り替えることを指示するコマンドを受信し、切り替え前後のＢＷＰのコードブックグループの設定が異なる場合、前記ＨＡＲＱ−ＡＣＫコードブックをフィードバックする前に、前記コマンドを無視することを含む、請求項１０に記載のＨＡＲＱ−ＡＣＫコードブックの決定方法。
【請求項１５】
前記ＨＡＲＱ−ＡＣＫコードブックは、セミパーシステントＨＡＲＱ−ＡＣＫコードブック又はダイナミックＨＡＲＱ−ＡＣＫコードブックである、請求項１〜１４のいずれか１項に記載のＨＡＲＱ−ＡＣＫコードブックの決定方法。
【請求項１６】
ＨＡＲＱ−ＡＣＫコードブックに対応する少なくとも１つの物理的ダウンリンク共有チャネルＰＤＳＣＨが所在するＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定する決定モジュールを含む、端末。
【請求項１７】
前記決定モジュールは、
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定する第１の実行ユニット、又は、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第２の実行ユニット、又は、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定する第３の実行ユニットを含む、請求項１６に記載の端末。
【請求項１８】
前記決定モジュールは、
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定する第４の実行ユニット、又は、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第５の実行ユニット、又は、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定する第６の実行ユニットを含む、請求項１６に記載の端末。
【請求項１９】
前記第１の実行ユニットは、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第２の実行ユニットは、前記ＨＡＲＱ−ＡＣＫコードブックに対応する各ＰＤＳＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第３の実行ユニットは、前記ＨＡＲＱ−ＡＣＫコードブックに対応する最後のＰＤＳＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する、請求項１７に記載の端末。
【請求項２０】
前記第４の実行ユニットは、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第５の実行ユニットは、前記ＨＡＲＱ−ＡＣＫコードブックに対応する各ＰＤＳＣＨをスケジューリングするＰＤＣＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第６の実行ユニットは、前記ＨＡＲＱ−ＡＣＫコードブックに対応する最後のＰＤＳＣＨをスケジューリングするＰＤＣＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する、請求項１８に記載の端末。
【請求項２１】
前記第１の実行ユニットは、
端末が、コードブロックグループ伝送が設定されていない第１のＢＷＰにおいて、コードブロックグループ伝送が設定されている第２のＢＷＰに切り替えることを端末に指示するダウンリンク制御情報ＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数である、請求項１９に記載の端末。
【請求項２２】
前記第４の実行ユニットは、
前記端末が、コードブロックグループ伝送が設定されていない第１のＢＷＰにおいて、コードブロックグループ伝送が設定されている第２のＢＷＰに切り替えることを端末に指示するＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数である、請求項２０に記載の端末。
【請求項２３】
決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる、請求項１６に記載の端末。
【請求項２４】
決定された前記ＨＡＲＱ−ＡＣＫコードブックには、同じＢＷＰで受信された少なくとも１つのＰＤＳＣＨのＨＡＲＱ−ＡＣＫビットのみが含まれ、
さらに、前記端末が活性化ＢＷＰに切り替えた場合、前記決定モジュールが決定した前記ＨＡＲＱ−ＡＣＫコードブックには現在の活性化ＢＷＰで受信された少なくとも１つのＰＤＳＣＨに対応するＨＡＲＱ−ＡＣＫのみが含まれる、請求項２３に記載の端末。
【請求項２５】
さらに、前記端末が活性化ＢＷＰに切り替え、切り替え前後のＢＷＰのコードブックグループの設定が異なる場合、前記決定モジュールが決定した前記ＨＡＲＱ−ＡＣＫコードブックには現在の活性化ＢＷＰで受信されたＰＤＳＣＨに対応するＨＡＲＱ−ＡＣＫビットのみが含まれる、請求項２４に記載の端末。
【請求項２６】
決定された前記ＨＡＲＱ−ＡＣＫコードブックには、同じＢＷＰで受信された少なくとも１つのＰＤＳＣＨのＨＡＲＱ−ＡＣＫビットのみが含まれ、
前記端末が活性化ＢＷＰに切り替えた場合、前記決定モジュールが決定した前記ＨＡＲＱ−ＡＣＫコードブックには、切り替え前のＢＷＰで受信された少なくとも１つのＰＤＳＣＨに対応するＨＡＲＱ−ＡＣＫのみが含まれる、請求項２３に記載の端末。
【請求項２７】
前記端末が活性化ＢＷＰに切り替え、切り替え前後のＢＷＰのコードブックグループの設定が異なる場合、前記決定モジュールが決定した前記ＨＡＲＱ−ＡＣＫコードブックには、切り替え前のＢＷＰで受信された少なくとも１つのＰＤＳＣＨに対応するＨＡＲＱ−ＡＣＫのみが含まれる、請求項２６に記載の端末。
【請求項２８】
前記ＨＡＲＱ−ＡＣＫコードブックをフィードバックするフィードバックモジュールと、
前記端末が活性化ＢＷＰに切り替えることを指示するコマンドを受信した場合、前記ＨＡＲＱ−ＡＣＫコードブックに対応するＰＤＳＣＨに対応するＨＡＲＱ−ＡＣＫビットをフィードバックする前に、前記コマンドを無視する処理モジュールとをさらに含む、請求項１６に記載の端末。
【請求項２９】
前記処理モジュールは、前記端末が活性化ＢＷＰに切り替えることを指示するコマンドを受信し、切り替え前後のＢＷＰのコードブックグループの設定が異なる場合、前記ＨＡＲＱ−ＡＣＫコードブックに対応するＰＤＳＣＨに対応するＨＡＲＱ−ＡＣＫビットをフィードバックする前に、前記コマンドを無視する、請求項２８に記載の端末。
【請求項３０】
前記ＨＡＲＱ−ＡＣＫコードブックは、セミパーシステントＨＡＲＱ−ＡＣＫコードブック又はダイナミックＨＡＲＱ−ＡＣＫコードブックである、請求項１６〜２９のいずれか１項に記載の端末。
【請求項３１】
プロセッサと、メモリと、前記メモリに記憶されて前記プロセッサ上で動作可能で、前記プロセッサによって実行されると、前記プロセッサが請求項１〜１５のいずれか１項に記載のＨＡＲＱ−ＡＣＫコードブックの決定方法のステップを実現するコンピュータプログラムと、を含む、端末。
【請求項３２】
プロセッサにより実行されると、請求項１〜１５のいずれか１項に記載のＨＡＲＱ−ＡＣＫコードブックの決定方法のステップを実現するコンピュータプログラムが記憶されているコンピュータ読み取り可能な記憶媒体。
【発明の詳細な説明】
【技術分野】
【０００１】
本願は、２０１８年２月１２日に提出された中国特許出願第２０１８１０１４７５４６．８号の優先権と、２０１８年２月１４日に提出された中国特許出願第２０１８１０１５２０６４．１号の優先権を主張するものであり、両者の全ての内容は参照により本願に組み込まれるものとする。
本発明のいくつかの実施例は、無線通信の技術分野に関し、特にＨＡＲＱ−ＡＣＫコードブックの決定方法及び端末に関する。
【背景技術】
【０００２】
ロングタームエボリューション（Ｌｏｎｇ  Ｔｅｒｍ  Ｅｖｏｌｕｔｉｏｎ、ＬＴＥと略称）システムにおいて、ネットワーク側は、１つの伝送ブロック（ＴＢ、ｔｒａｎｓｐｏｒｔ  ｂｌｏｃｋ）を送信する場合、各伝送ブロックを複数のコードブロック（Ｃｏｄｅ  ｂｌｏｃｋ）に分割する。端末（Ｕｓｅｒ  Ｅｑｕｉｐｍｅｎｔ、ＵＥと略称）は、伝送ブロック全体に対してハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱと略称）確認／非確認（ＡＣＫ／ＮＡＣＫ）情報を送信する必要があり、伝送ブロック内のあるコードブロックに伝送エラーがあれば、伝送ブロック内の全てのコードブロックを再送する必要がある。
【０００３】
第５世代（５−ｔｈ  Ｇｅｎｅｒａｔｉｏｎ、５Ｇと略称）の新しい無線技術（Ｎｅｗ  Ｒａｔｉｏ、ＮＲと略称）移動通信システムの標準化過程において、コードブロックグループ（Ｃｏｄｅ  Ｂｌｏｃｋ  Ｇｒｏｕｐ、ＣＢＧと略称）伝送モードが導入され、即ち、１つの伝送ブロックが複数のコードブロックグループを含み、１つのコードブロックグループが１以上のコードブロックを含むように、１つの伝送ブロックのコードブロックをグループ化する。端末は、各コードブロックグループの受信状況に応じて、各コードブロックグループのＡＣＫ／ＮＡＣＫをフィードバックする。このように、ネットワーク側は、端末の受信にエラーが生じているコードブロックグループのみを再送すればよく、これにより、再送に必要なリソースを低減させるとともに、端末が再送データを受信し統合する場合の処理遅延を低減する。
【０００４】
端末がコードブロックグループの伝送モードを設定していない場合、端末は、伝送ブロック毎にＡＣＫ／ＮＡＣＫを１ビットフィードバックする。端末がコードブロックグループの伝送モードを設定している場合、端末がフィードバックしたＡＣＫ／ＮＡＣＫのタイプは、伝送ブロックレベル（ＴＢ  ｌｅｖｅｌ）ＡＣＫ／ＮＡＣＫ及びコードブロックグループレベル（ＣＢＧ  ｌｅｖｅｌ）ＡＣＫ／ＮＡＣＫを含む。この場合、伝送ブロックレベルのＡＣＫ／ＮＡＣＫにおいて、伝送ブロック毎に、端末は、各ビットの値が同じであり、いずれの端末も該伝送ブロックのＡＣＫ／ＮＡＣＫを示すＭビットをフィードバックする。コードブロックグループレベル  ＡＣＫ／ＮＡＣＫにおいて、伝送ブロック毎に、端末は、各ビットが各コードブロックグループのＡＣＫ／ＮＡＣＫに対応するＭビットをフィードバックする。具体的には、端末は、受信された、ダウンリンクデータをスケジューリングするダウンリンク制御情報（Ｄｏｗｎｌｉｎｋ  Ｃｏｎｔｒｏｌ  Ｉｎｆｏｒｍａｔｉｏｎ、ＤＣＩと略称）のフォーマットに応じてＡＣＫ／ＮＡＣＫフィードバックのタイプを決定する。端末が受信したＤＣＩフォーマットがフォールバック（ｆａｌｌｂａｃｋ）ＤＣＩである場合、端末がフィードバックしたＡＣＫ／ＮＡＣＫタイプは、  ＡＣＫ／ＮＡＣＫである。端末が受信したＤＣＩフォーマットが通常のＤＣＩである場合、端末がフィードバックしたＡＣＫ／ＮＡＣＫタイプは、コードブロックブロックレベルのＡＣＫ／ＮＡＣＫである。
【０００５】
異なるニーズのサービス及び異なる応用シーンを満たすために、ＮＲシステムのサブキャリア間隔は、単一の１５ｋＨｚではなく、多種のサブキャリア間隔をサポートすることができ、異なるサブキャリア間隔は、異なるシーンに適用することができる。ＮＲ  Ｒｅｌ−１５において、各キャリアが最大となる帯域幅は、４００ＭＨｚである。しかし、端末の機能を考慮すると、端末がサポートしている最大帯域幅は、４００ＭＨｚ未満であり、端末は、複数の小さな帯域幅部分（ｂａｎｄｗｉｄｔｈ  ｐａｒｔ、ＢＷＰ）で動作可能である。各帯域幅部分は、１つのパラメータセット（Ｎｕｍｅｒｏｌｏｇｙ）、帯域幅（ｂａｎｄｗｉｄｔｈ）及び周波数位置（ｆｒｅｑｕｅｎｃｙ  ｌｏｃａｔｉｏｎ）に対応する。各端末に１つ以上のＢＷＰを設定することができ、ネットワーク側は、端末がどのＢＷＰで動作するか、即ち、どのＢＷＰを活性化（ａｃｔｉｖａｔｅ）するかを決める必要がある。活性化ＢＷＰは、ＤＣＩにより動的に切り替えることができる。
【０００６】
周波数分割複信（Ｆｒｅｑｕｅｎｃｙ  Ｄｉｖｉｓｉｏｎ  Ｄｕａｌ、ＦＤＤと略称）の場合、端末の活性化ＢＷＰが切り替わり、かつ異なるダウンリンク（ＤＬ）ＢＷＰのコードブロックグループの伝送設定が異なる場合、時間窓内の複数の物理的ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称）に関連するＢＷＰの伝送ブロックの伝送設定が異なるため、端末は、ＨＡＲＱ−ＡＣＫコードブック（ｃｏｄｅｂｏｏｋ）のサイズを決定できない可能性がある。
【発明の概要】
【発明が解決しようとする課題】
【０００７】
本開示のいくつかの実施例は、ＨＡＲＱ−ＡＣＫコードブックの決定方法及び端末を提供して、端末がＨＡＲＱ−ＡＣＫコードブックを決定することができない可能性があるという問題を解決する。
【課題を解決するための手段】
【０００８】
上記技術的課題を解決するために、第１の態様では、本開示のいくつかの実施例は、
ＨＡＲＱ−ＡＣＫコードブックに対応する少なくとも１つのＰＤＳＣＨが所在するＢＷＰのコードブロックグループの設定に基づいて、前記ＨＡＲＱ−ＡＣＫコードブックを決定すること、又は、
前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定すること、を含むＨＡＲＱ−ＡＣＫコードブックの決定方法を提供する。
【０００９】
第２の態様では、本開示のいくつかの実施例は、
ＨＡＲＱ−ＡＣＫコードブックに対応する少なくとも１つの物理的ダウンリンク共有チャネルＰＤＳＣＨが所在するＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定する決定モジュールを含む端末を提供する。
【００１０】
第３の態様では、本開示のいくつかの実施例は、プロセッサと、メモリと、前記メモリに記憶されて前記プロセッサ上で動作可能で、前記プロセッサによって実行されると、前記プロセッサが上記ＨＡＲＱ−ＡＣＫコードブックの決定方法のステップを実現するコンピュータプログラムと、を含む端末を提供する。
第４の態様では、本開示のいくつかの実施例は、プロセッサにより実行されると、前記プロセッサが上記ＨＡＲＱ−ＡＣＫコードブックの決定方法のステップを実現するコンピュータプログラムが記憶されているコンピュータ読み取り可能な記憶媒体を提供する。
【発明の効果】
【００１１】
本開示のいくつかの実施例では、端末がＨＡＲＱ−ＡＣＫコードブックを決定する方法を明確にして、端末がＢＷＰを切り替えた後にＨＡＲＱ−ＡＣＫコードブックを決定する場合に存在する可能性のある曖昧性の問題を回避する。
【図面の簡単な説明】
【００１２】
【図１】本開示のいくつかの実施例に係るＨＡＲＱ−ＡＣＫコードブックの決定方法の概略図である。
【図２】本開示のいくつかの実施例に係る端末の概略図である。
【図３】本開示のいくつかの実施例に係る端末の概略図である。
【発明を実施するための形態】
【００１３】
以下、本開示のいくつかの実施例における図面を参照しながら、本開示のいくつかの実施例における技術手段を明確かつ完全的に記載する。明らかに、記載される実施例は、本開示の実施例の一部であり、全てではない。本開示の実施例に基づいて、当業者が創造的な労働をしない前提で得られた他の全ての実施例は、いずれも本開示の保護範囲に属するものである。
【００１４】
周期的に出現し、パケットサイズが一定のトラフィックについては、ダウンリンク制御シグナリングのオーバーヘッドを低減するために、ネットワークは、セミパーシステントスケジューリングの方式を用いて、周期トラフィックの伝送のために一定のリソースを継続的に割り当てることができる。このようなダウンリンクでのセミパーシステントスケジューリングの方式は、ＤＬセミパーシステントスケジューリング（Ｓｅｍｉ−Ｐｅｒｓｉｓｔｅｎｔ  Ｓｃｈｅｄｕｌｉｎｇ、ＳＰＳと略称）と呼ばれ、ＤＬＳＰＳは、より多くのリソースが追加の端末のスケジューリングに用いられるように、周期的に送信する小さいＶｏＬＴＥ音声パケットをスケジューリングするオーバーヘッド（主に、（物理的ダウンリンク制御チャネルＰｈｙｓｉｃａｌ  Ｄｏｗｎｌｉｎｋ  Ｃｏｎｔｒｏｌ  Ｃｈａｎｎｅｌ、ＰＤＣＣＨと略称）のオーバーヘッド）を低減することができる。
【００１５】
ＨＡＲＱ−ＡＣＫコードブック（ｃｏｄｅｂｏｏｋ）の決定方式は、セミパーシステントとダイナミックの２種ある。ＨＡＲＱ−ＡＣＫコードブックがセミパーシステント決定方式である場合、ＨＡＲＱ−ＡＣＫコードブックのサイズが一定である。この場合、ＨＡＲＱ−ＡＣＫコードブックのサイズは、時間窓内に含まれるＰＤＳＣＨの受信時刻に基づいて決定される。該時間窓のサイズは、上位層において設定されたパラメータに基づいて算出される。該時間窓内では、受信される可能性のあるＰＤＳＣＨの候補（ｃａｎｄｉｄａｔｅｓ）の数が一定である。したがって、ＨＡＲＱ−ＡＣＫコードブックのサイズは一定である。
【００１６】
ＨＡＲＱ−ＡＣＫコードブックが動的に決定される場合、ＨＡＲＱ−ＡＣＫコードブックのサイズは動的に変化してもよい。この場合、ＵＥは、上位層パラメータに基づいて時間窓のサイズを決定して、該時間窓内で受信したＰＤＣＣＨに基づいてＨＡＲＱ−ＡＣＫコードブックのサイズを決定する。時間窓内で受信するＰＤＣＣＨの数が不定であるため、ＨＡＲＱ−ＡＣＫコードブックのサイズは動的に変化する。
【００１７】
本開示のいくつかの実施例におけるＨＡＲＱ−ＡＣＫコードブックの決定方法は、セミパーシステントＨＡＲＱ−ＡＣＫコードブックを決定してもよく、ダイナミックＨＡＲＱ−ＡＣＫコードブックを決定してもよい。
【００１８】
本開示のいくつかの実施例において記載した例は、いずれもＦＤＤの場合である。
【００１９】
図１を参照すると、図１は、本開示のいくつかの実施例に係るＨＡＲＱ−ＡＣＫコードブックの決定方法であり、該決定方法は、端末に適用され、
ＨＡＲＱ−ＡＣＫコードブックに対応する少なくとも１つのＰＤＳＣＨが所在する帯域幅部分ＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定するステップ１１を含む。
【００２０】
本発明のいくつかの実施例におけるＨＡＲＱ−ＡＣＫコードブックの決定方法は、好ましくは、端末が活性化ＢＷＰに切り替えた場合に適用される。本開示のいくつかの実施例において切り替えられたＢＷＰは、同じセルの異なるＢＷＰであってもよく、異なるセルの異なるＢＷＰであってもよい。
【００２１】
本開示のいくつかの実施例では、ＰＤＳＣＨが所在するＢＷＰとは、ＰＤＳＣＨの受信時刻におけるＢＷＰを指し、ＰＤＣＣＨが所在するＢＷＰとは、ＰＤＣＣＨを検出するためのＢＷＰを指す。
【００２２】
即ち、本開示のいくつかの実施例では、２種の方法で前記ＨＡＲＱ−ＡＣＫコードブックを決定してよい。
【００２３】
方法１は、前記ＨＡＲＱ−ＡＣＫコードブックに対応する少なくとも１つの物理的ダウンリンク共有チャネルＰＤＳＣＨが所在する帯域幅部分ＢＷＰのコードブロックグループの設定に基づいて、前記ＨＡＲＱ−ＡＣＫコードブックを決定することである。
【００２４】
方法２は、前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定することである。
【００２５】
本開示のいくつかの実施例では、ＢＷＰのコードブロックグループの設定は、ＢＷＰにはコードブロックグループ伝送モードが設定されているか否かということを含み、コードブロックグループ伝送モードが設定された場合、各伝送ブロックに対して、端末は、ＭビットのＡＣＫ／ＮＡＣＫをフィードバックし、Ｍが伝送ブロックに設定されるコードブロックグループの数である。コードブロックグループ伝送モードが設定されない場合、各伝送ブロックに対して、端末は、１ビットのＡＣＫ／ＮＡＣＫをフィードバックする。
【００２６】
本開示のいくつかの実施例では、端末がＨＡＲＱ−ＡＣＫコードブックを設定している場合、ＨＡＲＱ−ＡＣＫコードブックをどのように決定する方法を明確にして、端末がＢＷＰを切り替えた後にＨＡＲＱ−ＡＣＫコードブックを決定する場合に存在する可能性のある曖昧性の問題を回避する。
【００２７】
上記内容において記載されているように、ＨＡＲＱ−ＡＣＫコードブックのサイズは、時間窓内に含まれるＰＤＳＣＨの受信時刻に基づいて決定される。該時間窓のサイズは、上位層の設定又は所定のパラメータに基づいて算出される。該時間窓内では、受信される可能性のあるＰＤＳＣＨの候補の数が一定である。本開示のいくつかの実施例では、時間窓に含まれるＰＤＳＣＨの受信時刻は、１つであってもよく、複数であってもよい。時間窓内に含まれるＰＤＳＣＨの受信時刻が１つである場合、即ち、ＨＡＲＱ−ＡＣＫコードブックに対応するＰＤＳＣＨの数は１つであり、時間窓内に含まれるＰＤＳＣＨの受信時刻が複数である場合、即ち、ＨＡＲＱ−ＡＣＫコードブックに対応するＰＤＳＣＨの数は複数である。時間窓内に含まれるＰＤＳＣＨの受信時刻が複数である場合、各ＰＤＳＣＨの受信時刻のいずれにもＰＤＳＣＨ伝送があるわけではなく、いくつかのＰＤＳＣＨの受信時刻にＰＤＳＣＨ伝送がない可能性もある。あるＰＤＳＣＨの受信時刻にＰＤＳＣＨ伝送がなくても、端末は、常にこれらのＰＤＳＣＨ伝送のためにＨＡＲＱ−ＡＣＫビットを予備する。本開示のいくつかの実施例では、ＰＤＳＣＨの受信時刻のセットは、時間窓内のＰＤＣＣＨの検出周期と検出時刻とに基づいて決定される。
【００２８】
したがって、上記内容の、前記ＨＡＲＱ−ＡＣＫコードブックに対応する少なくとも１つのＰＤＳＣＨが所在するＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定することにおいて、ＨＡＲＱ−ＡＣＫコードブックに対応するＰＤＳＣＨの数が１つである場合、「少なくとも１つ」は１つを指し、ＨＡＲＱ−ＡＣＫコードブックに対応するＰＤＳＣＨの数が複数である場合、「少なくとも１つ」は１つ又は複数を指す。
【００２９】
以下、方法１、方法２によってＨＡＲＱ−ＡＣＫコードブックを決定する具体的な方法をそれぞれ説明する。
【００３０】
方法１、即ち、「前記ＨＡＲＱ−ＡＣＫコードブックに対応する少なくとも１つのＰＤＳＣＨが所在するＢＷＰのコードブロックグループの設定に基づいて、前記ＨＡＲＱ−ＡＣＫコードブックを決定する」ことは、
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定する方式１、又は、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する方式２、又は、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定する方式３を含んでよい。
【００３１】
以下、方法１における上記３つの方式による具体的な決定方法を例に挙げて説明する。
【００３２】
方式１Ａ
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含む。
【００３３】
例えば、受信候補のＰＤＳＣＨｍに対応するＢＷＰに設定されたコードブロックグループの数がＣＢＧ＿ｎｕｍ（ｍ）であると仮定すると、ＨＡＲＱ−ＡＣＫコードブックのサイズは、ｓｕｍ（ＣＢＧ＿ｎｕｍ（ｍ）×ＮＴＢ）であり、ｍ＝０〜Ｍ−１であり、ＭがＨＡＲＱ−ＡＣＫコードブックに対応する全てのＰＤＳＣＨの数であり、ＮＴＢが伝送ブロックの数であり、ｍが候補ＰＤＳＣＨの番号である。
【００３４】
方式２Ａ
前記ＨＡＲＱ−ＡＣＫコードブックに対応する各ＰＤＳＣＨが所在するＢＷＰからなるＢＷＰセットにおいて配置されるコードブロックグループの数が最大であるＢＷＰに基づいて、前記ＨＡＲＱ−ＡＣＫコードブックを決定することは、前記ＨＡＲＱ−ＡＣＫコードブックに対応する各ＰＤＳＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
例えば、受信候補のＰＤＳＣＨｍ、ｍ＝０〜Ｍ−１、全てのＰＤＳＣＨｍに対応するＢＷＰからなるＢＷＰセットから、設定されたコードブロックグループの数が最大であるＢＷＰを選択し、設定されたコードブロックグループの数が最大であるＢＷＰに設定されたコードブロックグループの数がＮｍａｘ＝ｍａｘ（ＣＢＧ＿ｎｕｍ（ｍ））であると仮定すると、ＨＡＲＱ−ＡＣＫコードブックのサイズは、Ｍ×Ｎｍａｘ×ＮＴＢであり、ＭがＨＡＲＱ−ＡＣＫコードブックに対応する全てのＰＤＳＣＨの数であり、ＮＴＢが伝送ブロックの数であり、ｍが候補ＰＤＳＣＨの番号である。
【００３５】
方式３Ａ
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定することは、前記ＨＡＲＱ−ＡＣＫコードブックに対応する最後のＰＤＳＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含む。
【００３６】
例えば、受信候補のＰＤＳＣＨｍ＝Ｍ−１であると仮定すると、ｍ＝Ｍ−１である場合、最後のＰＤＳＣＨを示し、該時刻のＢＷＰに設定されたコードブロックグループの数がＮであり、ＨＡＲＱ−ＡＣＫコードブックのサイズは、Ｍ×Ｎ×ＮＴＢであり、ＭがＨＡＲＱ−ＡＣＫコードブックに対応する全てのＰＤＳＣＨの数であり、ＮＴＢが伝送ブロックの数である。
【００３７】
以下、方式１Ａにおける前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定する方法を説明する。
【００３８】
本開示のいくつかの好ましい実施例では、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定することは、
前記端末が、コードブロックグループ伝送が設定されていない第１のＢＷＰにおいて、コードブロックグループ伝送が設定されている第２のＢＷＰに切り替えることを端末に指示するダウンリンク制御情報ＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であることを含む。
【００３９】
方法２、即ち、「前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定する」ことは、
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定する方式１Ｂ、又は、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する方式２Ｂ、又は、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定する方式３Ｂを含む。
【００４０】
以下、方法２における上記３つの方式の具体的な決定方法を例に挙げて説明する。
【００４１】
方式１Ｂ
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
例えば、受信時刻ｍに受信されたＰＤＳＣＨのＰＤＣＣＨについて、ＵＥがＰＤＣＣＨを検出する時のＢＷＰに設定されたコードブロックグループの数がＣＢＧ＿ｎｕｍ（ｍ）であると仮定すると、ＨＡＲＱ−ＡＣＫコードブックのサイズは、ｓｕｍ（ＣＢＧ＿ｎｕｍ（ｍ）×ＮＴＢ）であり、ｍ＝０〜Ｍ−１であり、ＣＢＧ＿ｎｕｍ（ｍ）＝１である場合、ＴＢ伝送モードを示し、ＣＢＧ＿ｎｕｍ（ｍ）＞１である場合、ＣＢＧ伝送モードを示し、Ｍが前記ＨＡＲＱ−ＡＣＫコードブックに対応する全てのＰＤＳＣＨの数であり、ＮＴＢが伝送ブロックの数である。
【００４２】
方式２Ｂ
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定することは、前記ＨＡＲＱ−ＡＣＫコードブックに対応する各ＰＤＳＣＨをスケジューリングするＰＤＣＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含み、
例えば、受信候補のＰＤＳＣＨｍのＰＤＣＣＨが所在するＢＷＰについて、ｍ＝０〜Ｍ−１、ＢＷＰからなるＢＷＰセットから、設定されたコードブロックグループの数が最大であるＢＷＰを選択し、設定されたコードブロックグループの数が最大であるＢＷＰに設定されたコードブロックグループの数がＮｍａｘ＝ｍａｘ（ＣＢＧ＿ｎｕｍ（ｍ））であると仮定すると、ＨＡＲＱ−ＡＣＫコードブックのサイズは、Ｍ×Ｎｍａｘ×ＮＴＢであり、ＭがＨＡＲＱ−ＡＣＫコードブックに対応する全てのＰＤＳＣＨの数であり、ＮＴＢが伝送ブロックの数であり、ｍが候補ＰＤＳＣＨの番号である。
【００４３】
方式３Ｂ
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定することは、前記ＨＡＲＱ−ＡＣＫコードブックに対応する最後のＰＤＳＣＨをスケジューリングするＰＤＣＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定することを含む。
【００４４】
例えば、受信時刻Ｍ−１に受信されたＰＤＳＣＨのＰＤＣＣＨが所在するＢＷＰについて、該時刻のＢＷＰに設定されたコードブロックグループの数がＮであると仮定すると、ＨＡＲＱ−ＡＣＫコードブックのサイズは、Ｍ×Ｎ×ＮＴＢであり、ＭがＨＡＲＱ−ＡＣＫコードブックに対応する全てのＰＤＳＣＨの数であり、ＮＴＢが伝送ブロックの数である。
【００４５】
以下、方式１Ｂにおける前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定する方法を説明する。
【００４６】
本開示のいくつかの好ましい実施例では、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定することは、
前記端末が、コードブロックグループ伝送が設定されていない第１のＢＷＰにおいて、コードブロックグループ伝送が設定されている第２のＢＷＰに切り替えることを端末に指示するＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であることを含む。
【００４７】
前記ＨＡＲＱ−ＡＣＫコードブックは、ＡＣＫ／ＮＡＣＫのタイプが伝送ブロックレベルのＡＣＫ／ＮＡＣＫであるかコードブロックグループレベルのＡＣＫ／ＮＡＣＫであるかをさらに含んでよく、受信されたＤＣＩのタイプが異なる場合、異なるタイプのＡＣＫ／ＮＡＣＫを用いる可能性があり、以下、例を挙げて説明する。
【００４８】
場合１
いくつかの具体的な実施例では、前記端末が、コードブロックグループ伝送が設定されていない第１のＢＷＰにおいて、コードブロックグループ伝送が設定されている第２のＢＷＰに切り替えることを端末に指示するダウンリンク制御情報ＤＣＩを受信し、前記第２のＢＷＰでＰＤＳＣＨを受信した場合、
（１）前記ＨＡＲＱ−ＡＣＫコードブックに対応する少なくとも１つのＰＤＳＣＨが所在するＢＷＰ（即ち、第２のＢＷＰ）のコードブロックグループの設定に基づいて、決定された第２のＢＷＰで受信されたＰＤＳＣＨのＨＡＲＱ−ＡＣＫビットはＮ２×ＮＴＢであり、Ｎ２が前記第２のＢＷＰのコードブロックグループの設定におけるコードブロックグループの数であり、ＮＴＢが伝送ブロックの数であり、
このような場合、端末は伝送ブロックレベルのＡＣＫ／ＮＡＣＫをフィードバックし、即ち、フィードバックされたＨＡＲＱ−ＡＣＫビットはＮ２×ＮＴＢであり、各伝送ブロックに対して、Ｎ２個のＡＣＫ／ＮＡＣＫをフィードバックし、Ｎ２は第２のＢＷＰに設定されたコードブロックグループの数であり、該Ｎ２個のＡＣＫ／ＮＡＣＫの値が同じである。
【００４９】
（２）前記ＨＡＲＱ−ＡＣＫコードブックに対応する少なくとも１つのＰＤＳＣＨをスケジューリングするＰＤＣＣＨが所在するＢＷＰ（即ち、第１のＢＷＰ）のコードブロックグループの設定に基づいて決定された第２のＢＷＰで受信されたＰＤＳＣＨのＨＡＲＱ−ＡＣＫビットは伝送ブロックの数である。
【００５０】
このような場合、ＤＣＩがｆａｌｌｂａｃｋ  ＤＣＩか一般的なＤＣＩ（即ち、ｆａｌｌｂａｃｋ  ＤＣＩではない）かに関わらず、端末は、いずれも少なくとも１つのＰＤＳＣＨのＰＤＣＣＨが所在するＢＷＰのコードブロックグループの設定に基づいて、伝送ブロックレベルのＡＣＫ／ＮＡＣＫをフィードバックし、即ち、フィードバックされたＨＡＲＱ−ＡＣＫビットが伝送ブロックの数である。
【００５１】
場合２
いくつかの具体的な実施例では、前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、
（１）前記ＨＡＲＱ−ＡＣＫコードブックに対応する少なくとも１つのＰＤＳＣＨが所在するＢＷＰ（即ち、第２のＢＷＰ）のコードブロックグループの設定に基づいて、決定された第２のＢＷＰで受信されたＰＤＳＣＨのＨＡＲＱ−ＡＣＫのＨＡＲＱ−ＡＣＫビットは伝送ブロックの数であり、
このような場合、ＤＣＩが一般的なＤＣＩかｆａｌｌｂａｃｋ  ＤＣＩかに関わらず、端末は、フィードバックされたＨＡＲＱ−ＡＣＫビットがＮＴＢであることを決定し、ＮＴＢが伝送ブロックの数である。
【００５２】
（２）前記ＨＡＲＱ−ＡＣＫコードブックに対応する少なくとも１つのＰＤＳＣＨをスケジューリングするＰＤＣＣＨが所在するＢＷＰ（即ち、第１のＢＷＰ）のコードブロックグループの設定に基づいて、決定された第２のＢＷＰで受信されたＰＤＳＣＨのＨＡＲＱ−ＡＣＫビットはＮ１×ＮＴＢであり、Ｎ１が前記第１のＢＷＰに設定されたコードブロックグループの数であり、ＮＴＢが伝送ブロックの数である。
【００５３】
このような場合、ＤＣＩが一般的なＤＣＩかｆａｌｌｂａｃｋ  ＤＣＩかに関わらず、端末は、いずれも伝送ブロックレベルのＡＣＫ／ＮＡＣＫをフィードバックし、即ち、フィードバックされたＨＡＲＱ−ＡＣＫビットはＮ１×ＮＴＢであり、各伝送ブロックに対して、Ｎ１個のＡＣＫ／ＮＡＣＫをフィードバックし、Ｎ１は第１のＢＷＰに設定されたコードブロックグループの数であり、該Ｎ１個のＡＣＫ／ＮＡＣＫの値が同じである。
【００５４】
上記２つの実施例では、端末が、コードブロックグループの設定が異なる２つのＢＷＰの間で切り替える場合、ＰＤＳＣＨのＨＡＲＱ−ＡＣＫビットを決定する方法であり、以下は、端末がいずれもコードブロックグループ伝送を設定した２つのＢＷＰの間で切り替える場合、ＰＤＳＣＨのＨＡＲＱ−ＡＣＫビットを決定する方法について説明する。
【００５５】
場合３
いくつかの具体的な実施例では、端末が活性化ＢＷＰに切り替えた場合、前記ＨＡＲＱ−ＡＣＫコードブックに対応する少なくとも１つのＰＤＳＣＨが所在するＢＷＰのコードブロックグループの設定に基づいて、又は、前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定することは、以下の（１）〜（２）を含む。
【００５６】
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、（本開示のいくつかの実施例では、第１のＢＷＰに設定されたコードブロックグループの数が第２のＢＷＰに設定されたコードブロックグループの数とは異なり、第１のＢＷＰに設定されたコードブロックグループの数がＮ１であり、第２のＢＷＰに設定されたコードブロックグループの数がＮ２であると仮定する）、
（１）前記ＨＡＲＱ−ＡＣＫコードブックに対応する少なくとも１つのＰＤＳＣＨが所在するＢＷＰ（即ち、第２のＢＷＰ）のコードブロックグループの設定に基づいて、決定された第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であり、
このような場合、ＤＣＩが一般的なＤＣＩであれば、端末は、コードブロックグループレベルのＡＣＫ／ＮＡＣＫ又は伝送ブロックレベルのＡＣＫ／ＮＡＣＫをフィードバックし、即ち、フィードバックされたＨＡＲＱ−ＡＣＫビットがＮ２×ＮＴＢであり、各伝送ブロックに対して、Ｎ２個のＡＣＫ／ＮＡＣＫをフィードバックし、Ｎ２が第１のＢＷＰに設定されたコードブロックグループの数である。
【００５７】
具体的には、Ｎ１＞Ｎ２であれば、端末は、伝送ブロックレベルのＡＣＫ／ＮＡＣＫをフィードバックし、
Ｎ１＜＝Ｎ２であれば、端末は、コードブロックグループレベルのＡＣＫ／ＮＡＣＫをフィードバックし、Ｎ２  ｂｉｔｓ中の前Ｎ１個のｂｉｔｓをＡＣＫ／ＮＡＣＫとし、他が０又は１で埋められるか、又は、Ｎ２個のｂｉｔｓ中の後のＮ１個のｂｉｔｓをＡＣＫ／ＮＡＣＫとし、他が０又は１で埋められる。
【００５８】
ＤＣＩがｆａｌｌｂａｃｋ  ＤＣＩであれば、端末は、伝送ブロックレベルのＡＣＫ／ＮＡＣＫをフィードバックし、即ち、フィードバックされたＨＡＲＱ−ＡＣＫビットはＮ２×ＮＴＢであり、各伝送ブロックに対して、Ｎ２個のＡＣＫ／ＮＡＣＫをフィードバックし、Ｎ２は第１のＢＷＰに設定されたコードブロックグループの数であり、該Ｎ２個のＡＣＫ／ＮＡＣＫの値が同じである。
【００５９】
（２）前記ＨＡＲＱ−ＡＣＫコードブックに対応する少なくとも１つのＰＤＳＣＨをスケジューリングするＰＤＣＣＨが所在するＢＷＰ（即ち、第１のＢＷＰ）のコードブロックグループの設定に基づいて、決定された第２のＢＷＰで受信されたＰＤＳＣＨのＨＡＲＱ−ＡＣＫビットはＮ１×ＮＴＢであり、Ｎ１が前記第１のＢＷＰに設定されたコードブロックグループの数であり、ＮＴＢが伝送ブロックの数である。
【００６０】
このような場合、ＤＣＩが一般的なＤＣＩであれば、端末は、コードブロックグループレベルのＡＣＫ／ＮＡＣＫをフィードバックし、即ち、フィードバックされたＨＡＲＱ−ＡＣＫビットがＮ１×ＮＴＢであり、各伝送ブロックに対して、Ｎ１個のＡＣＫ／ＮＡＣＫをフィードバックし、Ｎ１が第１のＢＷＰに設定されたコードブロックグループの数である。
【００６１】
ＤＣＩがｆａｌｌｂａｃｋ  ＤＣＩであれば、端末は、伝送ブロックレベルのＡＣＫ／ＮＡＣＫをフィードバックし、即ち、フィードバックされたＨＡＲＱ−ＡＣＫビットはＮ１×ＮＴＢであり、各伝送ブロックに対して、Ｎ１個のＡＣＫ／ＮＡＣＫをフィードバックし、Ｎ１は第１のＢＷＰに設定されたコードブロックグループの数であり、該Ｎ１個のＡＣＫ／ＮＡＣＫの値が同じである。
【００６２】
本開示のいくつかの実施例では、ＢＷＰに設定されたコードブロックグループの数は、上位層シグナリングにより設定されてよい。
【００６３】
本発明のいくつかの実施例では、決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる。
【００６４】
本開示のいくつかの実施例では、コードブロックグループの設定が同じＢＷＰとは、少なくとも設定されるコードブロックグループの数が同じであるＢＷＰを指す。
【００６５】
つまり、異なるＢＷＰで受信される１つ以上のＰＤＳＣＨに対して、端末は、ＨＡＲＱ−ＡＣＫをフィードバックせず、即ち、ＨＡＲＱ−ＡＣＫコードブックは、該１つ以上のＰＤＳＣＨのＡＣＫ／ＮＡＣＫを含まない。
【００６６】
さらに、コードブロックグループの設定も異なる、異なるＢＷＰで受信される１つ以上のＰＤＳＣＨに対して、端末は、ＨＡＲＱ−ＡＣＫをフィードバックせず、即ち、ＨＡＲＱ−ＡＣＫコードブックは、該１つ以上のＰＤＳＣＨのＡＣＫ／ＮＡＣＫを含まない。
【００６７】
本開示のいくつかの好ましい実施例では、決定された前記ＨＡＲＱ−ＡＣＫコードブックには、同じＢＷＰで受信された少なくとも１つのＰＤＳＣＨのＨＡＲＱ−ＡＣＫビットのみが含まれ、本開示のいくつかの実施例におけるＨＡＲＱ−ＡＣＫコードブックの決定方法は、
前記端末が活性化ＢＷＰに切り替えた場合、決定された前記ＨＡＲＱ−ＡＣＫコードブックには現在の活性化ＢＷＰで受信された少なくとも１つのＰＤＳＣＨに対応するＨＡＲＱ−ＡＣＫのみが含まれることをさらに含んでよい。
【００６８】
つまり、前記ＨＡＲＱ−ＡＣＫコードブックに対応するＰＤＳＣＨのＨＡＲＱ−ＡＣＫをフィードバックする前に、端末が活性化ＢＷＰに切り替えた場合、切り替え前のＰＤＳＣＨのＨＡＲＱ−ＡＣＫをフィードバックせず、切り替え後のＰＤＳＣＨのＨＡＲＱ−ＡＣＫのみをフィードバックする。
【００６９】
本開示のいくつかの好ましい実施例では、端末が活性化ＢＷＰに切り替え、切り替え前後のＢＷＰのコードブックグループの設定が異なる場合、決定された前記ＨＡＲＱ−ＡＣＫコードブックには現在の活性化ＢＷＰで受信されたＰＤＳＣＨに対応するＨＡＲＱ−ＡＣＫビットのみが含まれる。
【００７０】
本開示のいくつかの好ましい実施例では、決定された前記ＨＡＲＱ−ＡＣＫコードブックには、同じＢＷＰで受信された少なくとも１つのＰＤＳＣＨのＨＡＲＱ−ＡＣＫビットのみが含まれ、本開示のいくつかの実施例におけるＨＡＲＱ−ＡＣＫコードブックの決定方法は、前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることをさらに含んでよい。
【００７１】
つまり、前記ＨＡＲＱ−ＡＣＫコードブックに対応するＰＤＳＣＨのＨＡＲＱ−ＡＣＫをフィードバックする前に、端末が活性化ＢＷＰに切り替えた場合、切り替え前のＰＤＳＣＨのＨＡＲＱ−ＡＣＫのみをフィードバックし、切り替え後のＰＤＳＣＨのＨＡＲＱ−ＡＣＫをフィードバックしない。
【００７２】
本開示のいくつかの好ましい実施例では、前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることは、
前記端末が活性化ＢＷＰに切り替え、切り替え前後のＢＷＰのコードブックグループの設定が異なる場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることを含んでよい。
【００７３】
本開示のいくつかの好ましい実施例では、本開示のいくつかの実施例に係るＨＡＲＱ−ＡＣＫコードブックの決定方法は、前記ＨＡＲＱ−ＡＣＫコードブックをフィードバックすることをさらに含んでよく、
前記方法は、前記端末が活性化ＢＷＰに切り替えることを指示するコマンドを受信した場合、前記ＨＡＲＱ−ＡＣＫコードブックに対応するＰＤＳＣＨに対応するＨＡＲＱ−ＡＣＫビットをフィードバックする前に、前記コマンドを無視することをさらに含む。
【００７４】
つまり、前記ＨＡＲＱ−ＡＣＫコードブックに対応するＰＤＳＣＨのＨＡＲＱ−ＡＣＫビットをフィードバックする前に、端末は、ＢＷＰの切り替えを実行することを許可しない。前記ＨＡＲＱ−ＡＣＫコードブックに対応するＰＤＳＣＨのＨＡＲＱ−ＡＣＫビットをフィードバックした後、ＢＷＰの切り替えを実行することができる。
【００７５】
本開示のいくつかの好ましい実施例では、前記端末が活性化ＢＷＰに切り替えることを指示するコマンドを受信し、切り替え前後のＢＷＰのコードブックグループの設定が異なる場合、前記ＨＡＲＱ−ＡＣＫコードブックに対応するＰＤＳＣＨに対応するＨＡＲＱ−ＡＣＫビットをフィードバックする前に、前記コマンドを無視する。
【００７６】
図２を参照すると、同じ発明構想に基づいて、本開示のいくつかの実施例は、
前記ＨＡＲＱ−ＡＣＫコードブックに対応する少なくとも１つのＰＤＳＣＨが所在するＢＷＰのコードブロックグループの設定に基づいて、又は、前記ＨＡＲＱ−ＡＣＫコードブックに対応する少なくとも１つのＰＤＳＣＨをスケジューリングするＰＤＣＣＨが所在するＢＷＰのコードブロックグループの設定に基づいて、前記ＨＡＲＱ−ＡＣＫコードブックを決定する決定モジュール２１を含む、端末２０をさらに提供する。
【００７７】
上記実施例では、前記決定モジュール２１は、
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定する第１の実行ユニット、又は、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第２の実行ユニット、又は、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定する第３の実行ユニットを含んでよい。
【００７８】
上記実施例では、前記決定モジュール２１は、
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定する第４の実行ユニット、又は、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第５の実行ユニット、又は、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定する第６の実行ユニットを含んでよい。
【００７９】
上記実施例では、好ましくは、
前記第１の実行ユニットは、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第２の実行ユニットは、前記ＨＡＲＱ−ＡＣＫコードブックに対応する各ＰＤＳＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第３の実行ユニットは、前記ＨＡＲＱ−ＡＣＫコードブックに対応する最後のＰＤＳＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する。
【００８０】
上記実施例では、好ましくは、
前記第４の実行ユニットは、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第５の実行ユニットは、前記ＨＡＲＱ−ＡＣＫコードブックに対応する各ＰＤＳＣＨをスケジューリングするＰＤＣＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第６の実行ユニットは、前記ＨＡＲＱ−ＡＣＫコードブックに対応する最後のＰＤＳＣＨをスケジューリングするＰＤＣＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する。
【００８１】
上記実施例では、好ましくは、
前記第１の実行ユニットは、
前記端末が、コードブロックグループ伝送が設定されていない第１のＢＷＰにおいて、コードブロックグループ伝送が設定されている第２のＢＷＰに切り替えることを端末に指示するダウンリンク制御情報ＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ２×ＮＴＢであり、Ｎ２が前記第２のＢＷＰのコードブロックグループの設定におけるコードブロックグループの数であり、ＮＴＢが伝送ブロックの数である。
【００８２】
上記実施例では、好ましくは、
前記第４の実行ユニットは、
前記端末が、コードブロックグループ伝送が設定されていない第１のＢＷＰにおいて、コードブロックグループ伝送が設定されている第２のＢＷＰに切り替えることを端末に指示するＤＣＩを受信し、前記第２のＢＷＰでＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数であり、
前記端末が、コードブロックグループ伝送が設定されている第１のＢＷＰにおいて、コードブロックグループ伝送が設定されていない第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮＴＢであり、ＮＴＢが伝送ブロックの数であり、
前記端末が、コードブロックグループ伝送が設定されている第１のＢＷＰにおいて、コードブロックグループ伝送が設定されている第２のＢＷＰに切り替えることを端末に指示するＤＣＩを受信し、前記第２のＢＷＰで前記ＰＤＳＣＨを受信した場合、決定された前記第２のＢＷＰで受信されたＰＤＳＣＨのＨＡＲＱ−ＡＣＫビットがＮ１×ＮＴＢであり、Ｎ１が前記第１のＢＷＰのコードブロックグループの設定におけるコードブロックグループの数であり、ＮＴＢが伝送ブロックの数である。
【００８３】
本発明のいくつかの実施例では、好ましくは、決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる。
【００８４】
好ましくは、決定されたＨＡＲＱ−ＡＣＫコードブックには、同じＢＷＰで受信された少なくとも１つのＰＤＳＣＨのＨＡＲＱ−ＡＣＫビットのみが含まれる場合、さらに、前記端末が活性化ＢＷＰに切り替えた場合、前記決定モジュールが決定した前記ＨＡＲＱ−ＡＣＫコードブックには現在の活性化ＢＷＰで受信された少なくとも１つのＰＤＳＣＨに対応するＨＡＲＱ−ＡＣＫのみが含まれる。
【００８５】
好ましくは、さらに、前記端末が活性化ＢＷＰに切り替え、切り替え前後のＢＷＰのコードブックグループの設定が異なる場合、前記決定モジュールが決定した前記ＨＡＲＱ−ＡＣＫコードブックには現在の活性化ＢＷＰで受信されたＰＤＳＣＨに対応するＨＡＲＱ−ＡＣＫビットのみが含まれる。
【００８６】
好ましくは、決定された前記ＨＡＲＱ−ＡＣＫコードブックには、同じＢＷＰで受信された少なくとも１つのＰＤＳＣＨのＨＡＲＱ−ＡＣＫビットのみが含まれる場合、前記端末が活性化ＢＷＰに切り替えた場合、前記決定モジュールが決定した前記ＨＡＲＱ−ＡＣＫコードブックには、切り替え前のＢＷＰで受信された少なくとも１つのＰＤＳＣＨに対応するＨＡＲＱ−ＡＣＫのみが含まれる。
【００８７】
好ましくは、前記端末が活性化ＢＷＰに切り替え、切り替え前後のＢＷＰのコードブックグループの設定が異なる場合、前記決定モジュールが決定した前記ＨＡＲＱ−ＡＣＫコードブックには、切り替え前のＢＷＰで受信された少なくとも１つのＰＤＳＣＨに対応するＨＡＲＱ−ＡＣＫのみが含まれる。
【００８８】
好ましくは、本開示のいくつかの実施例の端末は、
前記ＨＡＲＱ−ＡＣＫコードブックをフィードバックするフィードバックモジュールと、
前記端末が活性化ＢＷＰに切り替えることを指示するコマンドを受信した場合、前記ＨＡＲＱ−ＡＣＫコードブックに対応するＰＤＳＣＨに対応するＨＡＲＱ−ＡＣＫビットをフィードバックする前に、前記コマンドを無視する処理モジュールとをさらに含んでよい。
【００８９】
好ましくは、前記処理モジュールは、前記端末が活性化ＢＷＰに切り替えることを指示するコマンドを受信し、切り替え前後のＢＷＰのコードブックグループの設定が異なる場合、前記ＨＡＲＱ−ＡＣＫコードブックに対応するＰＤＳＣＨに対応するＨＡＲＱ−ＡＣＫビットをフィードバックする前に、前記コマンドを無視する。
【００９０】
本開示のいくつかの実施例に係る端末は、図１の方法の実施例における端末が実現する各プロセスを実現することができ、重複を避けるために、ここでは説明を省略する。
【００９１】
図３は、本開示の各実施例を実現する端末のハードウェア構成概略図であり、該端末１００は、無線周波数ユニット１０１、ネットワークモジュール１０２、オーディオ出力ユニット１０３、入力ユニット１０４、センサ１０５、表示ユニット１０６、ユーザ入力ユニット１０７、インタフェースユニット１０８、メモリ１０９、プロセッサ１１０及び電源１１１等の部品を含むが、これらに限定されない。当業者が理解できるように、図１に示す端末の構造は、端末を限定するものではなく、端末は、図示より多いか又は少ない部品を含んでよく、ある部品と組み合わせたり、異なる部品配置を有したりしてよい。本開示のいくつかの実施例では、端末は、携帯電話、タブレットコンピュータ、ノートパソコン、パームトップコンピュータ、車載端末、ウェアラブルデバイス及び歩数計等を含むが、これらに限定されない。
【００９２】
プロセッサ１１０は、前記ＨＡＲＱ−ＡＣＫコードブックに対応する少なくとも１つの物理的ダウンリンク共有チャネルＰＤＳＣＨが所在する帯域幅部分ＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定する。
【００９３】
本開示のいくつかの実施例では、端末がＨＡＲＱ−ＡＣＫコードブックを設定している場合、ＨＡＲＱ−ＡＣＫコードブックを決定する方法を明確にして、端末がＨＡＲＱ−ＡＣＫコードブックのサイズを決定できないようにすることにより、ＨＡＲＱ−ＡＣＫ伝送エラーという問題を解決する。
【００９４】
なお、本開示のいくつかの実施例では、無線周波数ユニット１０１は、情報の送受信、又は通話中の信号の送受信に用いられてよく、具体的には、基地局からのダウンリンクデータを受信した後、プロセッサ１１０に処理させ、また、アップリンクデータを基地局に送信する。一般的に、無線周波数ユニット１０１は、アンテナ、少なくとも１つの増幅器、送受信機、カプラ、低雑音増幅器、デュプレクサ等を含むが、これらに限定されない。また、無線周波数ユニット１０１は、無線通信システムによりネットワーク及び他の装置と通信してよい。
【００９５】
端末は、ネットワークモジュール１０２によりユーザに無線のブロードバンドインターネットアクセスを提供して、例えば、ユーザの電子メールの送受信、ウェブの閲覧及びストリーミングメディアのアクセス等を助ける。
【００９６】
オーディオ出力ユニット１０３は、無線周波数ユニット１０１又はネットワークモジュール１０２によって受信されるか、又はメモリ１０９に記憶される音声データを音声信号に変換して音声として出力することができる。また、オーディオ出力ユニット１０３は、さらに端末１００によって実行される特定の機能に関連するオーディオ出力（例えば、着信音、メッセージ着信音等）を提供することができる。オーディオ出力ユニット１０３は、スピーカー、ブザー及びレシーバー等を含む。
【００９７】
入力ユニット１０４は、オーディオ又はビデオ信号を受信する。入力ユニット１０４は、グラフィック処理ユニット（Ｇｒａｐｈｉｃｓ  Ｐｒｏｃｅｓｓｉｎｇ  Ｕｎｉｔ、ＧＰＵ）１０４１及びマイクロフォン１０４２を含んでよく、グラフィック処理ユニット１０４１は、動画撮影モード又は撮影モードで撮影装置（例えば、カメラ）によって取得された静止画像又はビデオの画像データを処理する。処理後の画像フレームは、表示ユニット１０６に表示されてよい。グラフィック処理ユニット１０４１によって処理された画像フレームは、メモリ１０９（又は他の記憶媒体）に記憶されてもよく、無線周波数ユニット１０１又はネットワークモジュール１０２により送信されてもよい。マイクロフォン１０４２は、音声を受信し、かつこのような音声をオーディオデータに処理することができる。処理後のオーディオデータは、電話通話モードの場合に無線周波数ユニット１０１により移動通信基地局に送信できるフォーマットに変換されて出力されてよい。
【００９８】
端末１００は、光センサ、動きセンサ及び他のセンサ等のような少なくとも１種のセンサ１０５をさらに含む。具体的には、光センサは、環境光線の明るさに応じて表示パネル１０６１の輝度を調節することができる環境光センサと、端末１００が耳元に移動するときに、表示パネル１０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向きと横向きの切替、ゲーム関連、磁力計の姿勢較正）、振動識別に関連する機能（例えば、歩数計、タッピング）等に用いられてよく、センサ１０５は、指紋センサ、圧力センサ、虹彩センサ、分子センサ、ジャイロスコープ、気圧計、湿度計、温度計、赤外線センサ等をさらに含んでよく、ここでは説明を省略する。
【００９９】
表示ユニット１０６は、ユーザにより入力された情報又はユーザに提供した情報を表示する。表示ユニット１０６は、表示パネル１０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル１０６１を設定してよい。
【０１００】
ユーザ入力ユニット１０７は、入力された数字又は文字情報を受信すると共に、端末のユーザ設定及び機能制御に関連するキー信号入力を生成することができる。具体的には、ユーザ入力ユニット１０７は、タッチパネル１０７１及び他の入力装置１０７２を含む。タッチパネル１０７１は、タッチスクリーンとも呼ばれ、その上又はその近くでのユーザのタッチ操作（例えば、指、スタイラスペン等の任意の適切な物体又は付属品を用いるタッチパネル１０７１上又はタッチパネル１０７１の近くでのユーザの操作）を収集することができる。タッチパネル１０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ１１０に送信し、プロセッサ１１０からの命令を受信して実行する。また、抵抗式、容量式、赤外線式及び表面弾性波式等の複数のタイプでタッチパネル１０７１を実現することができる。タッチパネル１０７１に加えて、ユーザ入力ユニット１０７は、他の入力デバイス１０７２をさらに含んでよい。具体的には、他の入力デバイス１０７２は、物理キーボード、機能キー（例えば、ボリューム調節キー、スイッチキー等）、トラックボール、マウス、及び操作レバーを含むが、これらに限定されず、ここでは説明を省略する。
【０１０１】
さらに、タッチパネル１０７１は、表示パネル１０６１にカバーされてよく、タッチパネル１０７１がその上又はその近くでのタッチ操作を検出した後、プロセッサ１１０に伝送してタッチイベントのタイプを決定し、その後に、プロセッサ１１０は、タッチイベントのタイプに応じて表示パネル１０６１において対応する視覚的出力を提供する。図３において、タッチパネル１０７１と表示パネル１０６１は２つの独立した部品として端末の入力と出力機能を実現するが、いくつかの実施例では、タッチパネル１０７１と表示パネル１０６１を一体化して端末の入力と出力機能を実現することができ、ここでは具体的に限定しない。
【０１０２】
インタフェースユニット１０８は、外部装置と端末１００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット１０８は、外部装置からの入力（例えば、データ情報、電力等）を受信すると共に、受信した入力を端末１００内の１つ以上の素子に伝送するか又は端末１００と外部装置との間にデータを伝送することができる。
【０１０３】
メモリ１０９は、ソフトウェアプログラム及び様々なデータを記憶することができる。メモリ１０９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、メモリ１０９は、高速ランダムアクセスメモリを含んでもよく、不揮発性メモリ、例えば少なくとも１つの磁気ディスクメモリ素子、フラッシュメモリ素子又は他の揮発性固体メモリ素子等を含んでもよい。
【０１０４】
プロセッサ１１０は、端末の制御センターであり、様々なインタフェースと回線により端末全体の各部分に接続され、メモリ１０９に記憶されたソフトウェアプログラム及び／又はモジュールを動作させるか又は実行し、かつメモリ１０９に記憶されたデータを呼び出すことにより、端末の様々な機能とデータ処理を実行して、端末全体を監視する。プロセッサ１１０は、１つ以上の処理ユニットを含んでよく、好ましくは、プロセッサ１１０は、主にオペレーティングシステム、ユーザインタフェース及びアプリケーションプログラム等を処理するアプリケーションプロセッサと、主に無線通信を処理するモデムプロセッサとを集積することができる。理解できるように、上記モデムプロセッサは、プロセッサ１１０内に集積されなくてもよい。
【０１０５】
端末１００は、各部品に給電する電源１１１（例えば、電池）をさらに含んでよく、好ましくは、電源１１１は、電源管理システムによりプロセッサ１１０と論理的に接続されて、電源管理システムにより充電、放電の管理及び消費電力の管理等の機能を実現することができる。
【０１０６】
また、端末１００は、いくつかの未図示の機能モジュールを含み、ここでは説明を省略する。
【０１０７】
本開示のいくつかの実施例は、プロセッサと、メモリと、メモリに記憶されて前記プロセッサ上で動作可能で、プロセッサによって実行されると、上記ＨＡＲＱ−ＡＣＫコードブックの決定方法の実施例の各プロセスを実現し、かつ同様な技術的効果を達成することができるコンピュータプログラムとを含む、端末をさらに提供し、重複を避けるため、ここでは説明を省略する。
【０１０８】
本開示のいくつかの実施例では、端末は、無線端末であってもよく、有線端末であってもよい。無線端末は、ユーザに音声及び／又は他のサービスデータ接続性を提供する装置、無線接続機能を有するハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ、ＲＡＮと略称）を介して１つ以上のコアネットワークと通信可能であり、無線端末は、携帯端末、例えば携帯電話（又は、「セルラー」電話）と、携帯端末を有するコンピュータ、例えば携帯式、ポケット、手持ち式、コンピュータ内蔵又は車載の移動装置であってよく、それらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳと略称）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰと略称）電話機、加入者系無線アクセス網（Ｗｉｒｅｌｅｓｓ  Ｌｏｃａｌ  Ｌｏｏｐ、ＷＬＬと略称）基地局、パーソナルディジタルアシスタント（Ｐｅｒｓｏｎａｌ  Ｄｉｇｉｔａｌ  Ａｓｓｉｓｔａｎｔ、ＰＤＡと略称）等の装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、端末（Ｕｓｅｒ  Ｄｅｖｉｃｅ  ｏｒ  Ｕｓｅｒ  Ｅｑｕｉｐｍｅｎｔ）とも呼ばれ、ここでは限定しない。
【０１０９】
本開示のいくつかの実施例は、プロセッサによって実行されると、上記ＨＡＲＱ−ＡＣＫコードブックの決定方法の実施例の各プロセスを実現し、かつ同様な技術的効果を達成することができるコンピュータプログラムが記憶されているコンピュータ読み取り可能な記憶媒体をさらに提供し、重複を避けるため、ここで説明を省略する。本開示のいくつかの実施例における前記コンピュータ読み取り可能な記憶媒体は、揮発性コンピュータ読み取り可能な記憶媒体又は不揮発性コンピュータ読み取り可能な記憶媒体であってよく、或いは、読み取り専用メモリ（Ｒｅａｄ  Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、ディスク又は光ディスクなどのような揮発性コンピュータ読み取り可能な記憶媒体及び不揮発性コンピュータ読み取り可能な記憶媒体の両者を含んでよい。
【０１１０】
なお、本明細書において、用語「含む」、「含有」又はその如何なる他の変形は、非排他的な包含をカバーすることを意図することにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。より多くの限定がない場合に、語句「１つ・・・を含む」により限定された要素は、該要素を含むプロセス、方法、物品又は装置にさらに別の同一の要素が存在することを排除するものではない。
【０１１１】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク装置等であってもよい）に本開示の各実施例に記載の方法を実行させるための複数のコマンドを含む。
【０１１２】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば本開示の示唆で、本開示の趣旨及び特許請求の範囲の保護範囲から逸脱せずに多くの形式を行うことができ、これらは、いずれも本開示の保護範囲内に属する。
【図１】
2021513821.tif 000003
【図２】
2021513821.tif 000004
【図３】
2021513821.tif 000005
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
端末に適用されるハイブリッド自動再送要求−確認ＨＡＲＱ−ＡＣＫコードブックの決定方法であって、
ＨＡＲＱ−ＡＣＫコードブックに対応する少なくとも１つの物理的ダウンリンク共有チャネルＰＤＳＣＨが所在する帯域幅部分ＢＷＰのコードブロックグループの設定に基づいて、前記ＨＡＲＱ−ＡＣＫコードブックを決定すること、又は、
前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定することを含む、ＨＡＲＱ−ＡＣＫコードブックの決定方法。
【請求項２】
決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる、請求項１に記載のＨＡＲＱ−ＡＣＫコードブックの決定方法。
【請求項３】
決定された前記ＨＡＲＱ−ＡＣＫコードブックには、同じＢＷＰで受信された少なくとも１つのＰＤＳＣＨのＨＡＲＱ−ＡＣＫビットのみが含まれ、前記ＨＡＲＱ−ＡＣＫコードブックを決定することは、
前記端末が活性化ＢＷＰが切り替えた場合、決定された前記ＨＡＲＱ−ＡＣＫコードブックには現在の活性化ＢＷＰで受信された少なくとも１つのＰＤＳＣＨに対応するＨＡＲＱ−ＡＣＫのみが含まれることを含む、請求項２に記載のＨＡＲＱ−ＡＣＫコードブックの決定方法。
【請求項４】
前記端末が活性化ＢＷＰに切り替えた場合、決定された前記ＨＡＲＱ−ＡＣＫコードブックには現在の活性化ＢＷＰで受信された少なくとも１つのＰＤＳＣＨに対応するＨＡＲＱ−ＡＣＫのみが含まれることは、
前記端末が活性化ＢＷＰに切り替え、切り替え前後のＢＷＰのコードブックグループの設定が異なる場合、決定された前記ＨＡＲＱ−ＡＣＫコードブックには現在の活性化ＢＷＰで受信されたＰＤＳＣＨに対応するＨＡＲＱ−ＡＣＫビットのみが含まれることを含む、請求項３に記載のＨＡＲＱ−ＡＣＫコードブックの決定方法。
【請求項５】
決定された前記ＨＡＲＱ−ＡＣＫコードブックには、同じＢＷＰで受信された少なくとも１つのＰＤＳＣＨのＨＡＲＱ−ＡＣＫビットのみが含まれ、前記ＨＡＲＱ−ＡＣＫコードブックを決定することは、
前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることを含む、請求項２に記載のＨＡＲＱ−ＡＣＫコードブックの決定方法。
【請求項６】
前記端末が活性化ＢＷＰに切り替えた場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることは、
前記端末が活性化ＢＷＰに切り替え、切り替え前後のＢＷＰのコードブックグループの設定が異なる場合、決定された前記ＨＡＲＱ−ＡＣＫコードブックには、切り替え前のＢＷＰで受信された少なくとも１つのＰＤＳＣＨに対応するＨＡＲＱ−ＡＣＫのみが含まれることを含む、請求項５に記載のＨＡＲＱ−ＡＣＫコードブックの決定方法。
【請求項７】
前記ＨＡＲＱ−ＡＣＫコードブックを決定した後、前記方法は、
前記ＨＡＲＱ−ＡＣＫコードブックをフィードバックすることをさらに含み、
前記端末が活性化ＢＷＰに切り替えることを指示するコマンドを受信した場合、前記ＨＡＲＱ−ＡＣＫコードブックをフィードバックする前に、前記コマンドを無視することをさらに含み、
前記端末が活性化ＢＷＰに切り替えることを指示するコマンドを受信した場合、前記ＨＡＲＱ−ＡＣＫコードブックをフィードバックする前に、前記コマンドを無視することは、
前記端末が活性化ＢＷＰに切り替えることを指示するコマンドを受信し、切り替え前後のＢＷＰのコードブックグループの設定が異なる場合、前記ＨＡＲＱ−ＡＣＫコードブックをフィードバックする前に、前記コマンドを無視することを含む、請求項１に記載のＨＡＲＱ−ＡＣＫコードブックの決定方法。
【請求項８】
前記ＨＡＲＱ−ＡＣＫコードブックは、セミパーシステントＨＡＲＱ−ＡＣＫコードブック又はダイナミックＨＡＲＱ−ＡＣＫコードブックである、請求項１〜７のいずれか１項に記載のＨＡＲＱ−ＡＣＫコードブックの決定方法。
【請求項９】
ＨＡＲＱ−ＡＣＫコードブックに対応する少なくとも１つの物理的ダウンリンク共有チャネルＰＤＳＣＨが所在するＢＷＰのコードブロックグループの設定に基づいて、前記ＨＡＲＱ−ＡＣＫコードブックを決定するか、又は、前記ＨＡＲＱ−ＡＣＫコードブックに対応する少なくとも１つのＰＤＳＣＨをスケジューリングする物理的ダウンリンク制御チャネルＰＤＣＣＨが所在するＢＷＰのコードブロックグループの設定に基づいて、前記ＨＡＲＱ−ＡＣＫコードブックを決定する決定モジュールを含む、端末。
【請求項１０】
前記決定モジュールは、
前記ＨＡＲＱ−ＡＣＫコードブックに対応する各ＰＤＳＣＨが所在するＢＷＰのコードブロックグループの設定に基づいて、前記ＨＡＲＱ−ＡＣＫコードブックを決定する第１の実行ユニット、又は、
前記ＨＡＲＱ−ＡＣＫコードブックに対応する各ＰＤＳＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第２の実行ユニット、又は、
前記ＨＡＲＱ−ＡＣＫコードブックに対応する最後のＰＤＳＣＨが所在するＢＷＰのコードブロックグループの設定に基づいて、前記ＨＡＲＱ−ＡＣＫコードブックを決定する第３の実行ユニットを含む、請求項９に記載の端末。
【請求項１１】
前記決定モジュールは、
前記ＨＡＲＱ−ＡＣＫコードブックに対応する各ＰＤＳＣＨをスケジューリングするＰＤＣＣＨが所在するＢＷＰのコードブロックグループの設定に基づいて、前記ＨＡＲＱ−ＡＣＫコードブックを決定する第４の実行ユニット、又は、
前記ＨＡＲＱ−ＡＣＫコードブックに対応する各ＰＤＳＣＨをスケジューリングするＰＤＣＣＨが所在するＢＷＰからなるＢＷＰセットのうち、設定されたコードブロックグループの数が最大であるＢＷＰのコードブロックグループの設定に基づいて、前記ＨＡＲＱ−ＡＣＫコードブックを決定する第５の実行ユニット、又は、
前記ＨＡＲＱ−ＡＣＫコードブックに対応する最後のＰＤＳＣＨをスケジューリングするＰＤＣＣＨが所在するＢＷＰのコードブロックグループの設定に基づいて、前記ＨＡＲＱ−ＡＣＫコードブックを決定する第６の実行ユニットを含む、請求項９に記載の端末。
【請求項１２】
前記第１の実行ユニットは、前記ＨＡＲＱ−ＡＣＫコードブックに対応する各ＰＤＳＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第２の実行ユニットは、前記ＨＡＲＱ−ＡＣＫコードブックに対応する各ＰＤＳＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第３の実行ユニットは、前記ＨＡＲＱ−ＡＣＫコードブックに対応する最後のＰＤＳＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する、請求項１０に記載の端末。
【請求項１３】
前記第４の実行ユニットは、前記ＨＡＲＱ−ＡＣＫコードブックに対応する各ＰＤＳＣＨをスケジューリングするＰＤＣＣＨが所在するＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第５の実行ユニットは、前記ＨＡＲＱ−ＡＣＫコードブックに対応する各ＰＤＳＣＨをスケジューリングするＰＤＣＣＨが所在するＢＷＰからなるＢＷＰセットから、設定されたコードブロックグループの数が最大であるＢＷＰを選択し、選択されたＢＷＰのコードブロックグループの設定におけるコードブロックグループの数に基づいて、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定し、
前記第６の実行ユニットは、前記ＨＡＲＱ−ＡＣＫコードブックに対応する最後のＰＤＳＣＨをスケジューリングするＰＤＣＣＨが所在するＢＷＰのコードブロックグループの設定におけるコードブロックグループの数を取得し、前記ＨＡＲＱ−ＡＣＫコードブックに対応する各ＰＤＳＣＨのＨＡＲＱ−ＡＣＫビットを決定し、前記ＨＡＲＱ−ＡＣＫコードブックに対応する各ＰＤＳＣＨのＨＡＲＱ−ＡＣＫビットに基づいて、前記ＨＡＲＱ−ＡＣＫコードブックを決定する、請求項１１に記載の端末。
【請求項１４】
決定された前記ＨＡＲＱ−ＡＣＫコードブックには、同じＢＷＰで受信された少なくとも１つのＰＤＳＣＨのＨＡＲＱ−ＡＣＫビットのみが含まれるか、又は、コードブロックグループの設定が同じＢＷＰで受信された少なくとも１つのＰＤＳＣＨのＨＡＲＱ−ＡＣＫビットが含まれる、請求項９に記載の端末。
【請求項１５】
決定された前記ＨＡＲＱ−ＡＣＫコードブックには、同じＢＷＰで受信された少なくとも１つのＰＤＳＣＨのＨＡＲＱ−ＡＣＫビットのみが含まれ、
さらに、前記端末が活性化ＢＷＰに切り替えた場合、前記決定モジュールが決定した前記ＨＡＲＱ−ＡＣＫコードブックには現在の活性化ＢＷＰで受信された少なくとも１つのＰＤＳＣＨに対応するＨＡＲＱ−ＡＣＫのみが含まれる、請求項１４に記載の端末。
【国際調査報告】
2021513821.tif 000006
2021513821.tif 000007
2021513821.tif 000008
2021513821.tif 000009